(57)【特許請求の範囲】
【請求項１】
所定の情報記載部を備える上紙と分離剥離片を備える下紙とが重ね合わされる配送ラベルであって、
前記上紙は、
表面に所定の情報を記載させる第１情報記載部が分離自在に設けられると共に、裏面側における前記第１情報記載部に対応する領域以外の所定の領域に第１粘着層が形成される第１伝票部と、
前記第１伝票部と連設され、表面に所定の情報を記載させる第２情報記載部が設けられると共に、裏面側における当該第２情報記載部に対応する領域の周縁に第２粘着層が形成されて前記第１情報記載部の領域内に収まるサイズで形成される第２伝票部、及び、当該第２伝票部と分離線を介して連設される所定数の余剰片を備える連設伝票部と、
後に前記第１伝票部の第１情報記載部が分離されたときに前記第２伝票部が前記第２粘着層により一体となった前記下紙の分離剥離片が表出されるように、当該第２伝票部を当該分離剥離片と共に当該第１伝票部の裏面側における前記第１粘着層の非形成部分で折り込ませる折り線と、
後に前記第１伝票部の第１情報記載部が分離されたときに前記折り線で折り込まれた前記第２伝票部と一体の前記分離剥離片が表出され、表出した当該分離剥離片と一体の第２伝票部を当該第１伝票部より切り取らせる切取り線と、を有し、
前記下紙は、
前記上紙の対向面の前記第１粘着層に対応した部分に形成される第１剥離層と、
前記第２粘着層に対応した部分に形成される第２剥離層と、
前記第２剥離層の外縁に、後に前記上紙が剥離される際に前記第２伝票部とは剥離されずに一体となって分離する前記分離剥離片を形成するものであり、前記第２伝票部と余剰片とを分離させる分離線に対して平面方向の位置で異ならせて形成される分離線と、を有する、
ことを特徴とする配送ラベル。
【請求項２】
請求項１記載の配送ラベルであって、前記第２伝票部は、前記分離剥離片と共に所定回数で折り重ね自在とされ、折り重ねられたサイズが、前記第１伝票部の第１情報記載部の領域内に収まるサイズとされることを特徴とする配送ラベル。
【発明の詳細な説明】
【技術分野】
【０００１】
本発明は、配送物に貼付され、二種の伝票ラベルが一体化された配送ラベルに関する。
【背景技術】
【０００２】
近年、例えばゴルフ場にゴルフバックを配送（往路）し、その後に返送（復路）する配送形態が一般化している。このような配送形態においては、配送物に貼付される配送ラベルは往路用及び復路用を一体化し、かつ、一方面で一括に配送情報を形成させることが効率的である。この場合、往路の配送時に貼付される配送ラベルは、美観的にも復路用ラベルを表面化することなく、いわゆるラベルインラベルの形態が望まれ、そのためには当該復路用ラベルが剥離紙に接着したままの状態とさせる必要があることから、往路ラベルに対応剥離紙より復路用ラベル対応の剥離紙を破損することなく剥離させることが望まれる。
【０００３】
従来、配送伝票には種々の構成のものが知られており、例えば特許文献１に記載されているシートは、基紙の裏面では粘着剤層を介して剥離紙が存在し、また、基紙の表面には上紙が配置され、上紙が相互に分離可能な貼付票、配送票及び発店控から構成される。そして、基紙の表面側全面に第２粘着剤層を存在させ、貼付票の裏面側にこの第２粘着剤層によって基紙に直接貼付けられると共に、配送票及び発店控の裏面に剥離層を存在させてこれらを剥離可能とした構造として知られている。このようなシートは、剥離紙より基紙及び上紙を剥離して配送物に貼付し、配送後に配送票及び発店控をそれぞれ剥離させるために基紙と発店控えに対応する同位置に切込線を形成させている。
【先行技術文献】
【特許文献】
【０００４】
【特許文献１】特開２０１０−１３１８６９号公報
【発明の概要】
【発明が解決しようとする課題】
【０００５】
ところで、特許文献１に記載されているような配送伝票の構造を配送ラベルに適用させようとする場合、基紙の存在有無に拘わらず、後に使用されるラベルを対応する区分の剥離紙共々分離する必要があり、上紙（基紙）に形成した切込線と同時に切り取る切込線を剥離紙に対しても形成する必要がある。しかしながら、特許文献１のシートとする構造の技術のように、上紙において後に分離されるラベルとの切込線と、剥離紙に形成される切込線とが同位置にあると、切り取る際に、各切込線の切取り部分の近傍で破れを生じ易いという問題がある。
【０００６】
そこで、本発明は上記課題に鑑みなされたもので、少なくとも二種のラベルを備えて後に分離するラベルを損傷なく確実に分離させる配送ラベルを提供することを目的とする。
【課題を解決するための手段】
【０００７】
上記課題を解決するために、請求項１の発明では、所定の情報記載部を備える上紙と分離剥離片を備える下紙とが重ね合わされる配送ラベルであって、前記上紙は、表面に所定の情報を記載させる第１情報記載部が分離自在に設けられると共に、裏面側における前記第１情報記載部に対応する領域以外の所定の領域に第１粘着層が形成される第１伝票部と、前記第１伝票部と連設され、表面に所定の情報を記載させる第２情報記載部が設けられると共に、裏面側における当該第２情報記載部に対応する領域の周縁に第２粘着層が形成されて前記第１情報記載部の領域内に収まるサイズで形成される第２伝票部、及び、当該第２伝票部と分離線を介して連設される所定数の余剰片を備える連設伝票部と、後に前記第１伝票部の第１情報記載部が分離されたときに前記第２伝票部が前記第２粘着層により一体となった前記下紙の分離剥離片が表出されるように、当該第２伝票部を当該分離剥離片と共に当該第１伝票部の裏面側における前記第１粘着層の非形成部分で折り込ませる折り線と、後に前記第１伝票部の第１情報記載部が分離されたときに前記折り線で折り込まれた前記第２伝票部と一体の前記分離剥離片が表出され、表出した当該分離剥離片と一体の第２伝票部を当該第１伝票部より切り取らせる切取り線と、を有し、前記下紙は、前記上紙の対向面の前記第１粘着層に対応した部分に形成される第１剥離層と、前記第２粘着層に対応した部分に形成される第２剥離層と、前記第２剥離層の外縁に、後に前記上紙が剥離される際に前記第２伝票部とは剥離されずに一体となって分離する前記分離剥離片を形成するものであり、前記第２伝票部と余剰片とを分離させる分離線に対して平面方向の位置で異ならせて形成される分離線と、を有する、構成とする。
【０００８】
請求項２の発明では、前記第２伝票部は、前記分離剥離片と共に所定回数で折り重ね自在とされ、折り重ねられたサイズが、前記第１伝票部の第１情報記載部の領域内に収まるサイズとされる構成とする。
【発明の効果】
【０００９】
請求項１の発明によれば、重ね合わされた下紙より上紙を剥離するに際して、下紙に設けられて第２伝票部と一体に分離剥離片を剥離させる分離線の形成位置を、第２伝票部と余剰片とを分離させる分離線の形成位置より平面方向で異ならせて形成し、重ね合わされた下紙から剥離した後に第１伝票部の裏面側の第１情報記載部の領域内に第２伝票部及び分離剥離片を収めるように折り線で折り曲げて配送物に貼着させ、配送後に第１情報記載部を分離して表出した分離剥離片と共に第２伝票部を切取り線より分離させる構成とすることにより、形成位置を異ならせた分離線とすることで少なくとも二種のラベルを備えて後に分離するラベルを剥離紙共々損傷なく確実に分離させることができるものである。
【００１０】
請求項２の発明によれば、第２伝票部を、分離剥離片と共に所定回数で折り重ね自在とされ、折り重ねられたサイズが、第１伝票部の第１情報記載部の領域内に収まるサイズとすることにより、第２伝票部のラベル面（第２情報記載部やその他の情報面）を拡大することができ、情報量を増大させることができるものである。
【図面の簡単な説明】
【００１１】
【図１】本発明に係る配送ラベルの第１実施形態の構成図である。
【図２】図１の配送ラベルにおけるラベル本体の剥離紙からの剥離形態の説明図（１）である。
【図３】図１の配送ラベルにおけるラベル本体の剥離紙からの剥離形態の説明図（２）である。
【図４】図３のラベル本体の貼付形態の説明図（１）である。
【図５】図３のラベル本体の貼付形態の説明図（２）である。
【図６】図５のラベル本体の使用形態の説明図（１）である。
【図７】図５のラベル本体の使用形態の説明図（２）である。
【図８】図５のラベル本体の使用形態の説明図（３）である。
【図９】本発明に係る配送ラベルの第２実施形態の構成図である。
【図１０】図９の配送ラベルにおけるラベル本体の剥離紙からの剥離形態の説明図である。
【発明を実施するための形態】
【００１２】
以下、本発明の実施形態を図により説明する。本実施形態おける各図は、本発明を理解しやすいように、特に厚さ寸法を無視して表している。また、配送ラベル１１は、往路用と復路用の二種の配送伝票を備えたものとして説明する。
【００１３】
図１に、本発明に係る配送ラベルの第１実施形態の構成図を示す。図１（Ａ）〜（Ｃ）において、配送ラベル１１は、上紙１２及び下紙１３が重ね合わされる形態で構成される。上紙１２と下紙１３とは同一大である。
【００１４】
上紙１２は、第１伝票部２１と連設伝票部２２とが、分離線であるスリット２３Ａ、２３Ｂ及び折り兼切取り線２４Ａにより連設されて一体化された形態である。当該第１伝票部２１は、周縁部２１Ｂを確保して、表面１２Ａに所定の情報（往路用の配送に関する情報）が記載される第１情報記載部となる往路用配達票２５及び往路用送付票２６がスリット３２Ａ〜３２Ｄにより、当該周縁部２１Ｂ及び連設部２４から分離自在に形成される。
【００１５】
また、周縁部２１Ｂの連設伝票部２２側の一部が上記折り兼切取り線２４Ａ及び切取り線２４Ｂ，２４Ｃで連設部２４が形成される。上記往路用配達票２５と往路用送付票２６とは、スリット３２Ｅにより分離自在に形成される。なお、スリットは、粗いミシン目線、一部接続断裁線、厚み方向でのハーフカットを意味する。そして、配達票２５には角部の一に摘み上げて分離させるための切欠き部２５Ａが形成され、送付票２６には角部の一に摘み上げて分離させるための切欠き部２６Ａが形成される。
【００１６】
上記連設伝票部２２には、両側に余剰片２８Ａ、２８Ｂが設けられ、当該余剰片２８Ａ、２８Ｂ間に第２伝票部２７が設けられる。第２伝票部２７と連設部２４とは折り兼切取り線２４Ａを介して連設される。当該折り兼切取り線２４Ａは、後に第１伝票部２１の往路用配達票２５及び往路用送付票２６が分離されたときに第２伝票部２７が表出されるように折り込ませる役割と、後に連設部２４より切り取る役割となる。
【００１７】
余剰片２８Ａは、スリット２３Ａにより第１伝票部２１に対して分離可能とされ、スリット３３Ａ及びテーパ部２３Ａ−１により第２伝票部２７に対して分離可能とされる。また、余剰片２８Ｂは、スリット２３Ｂにより第１伝票部２１に対して分離可能とされ、スリット３３Ｂ及びテーパ部２３Ｂ−１により第２伝票部２７に対して分離可能とされる。
【００１８】
また、第２伝票部２７は、連設部２４までと、余剰片２８Ａ，２８Ｂまでの領域の周縁部２７Ａを確保して、表面１２Ａに所定の情報（復路用の配送に関する情報）が記載される第２情報記載部となる復路用配達票２９及び復路用送付票３０が、スリット３４Ａ〜３４Ｄにより、当該周縁部２７Ａから分離自在に形成される。
【００１９】
上記復路用配達票２９と復路用送付票３０とは、スリット３４Ｅにより分離自在に形成される。また、当該スリット３４Ｅより周縁部２７Ａの両側方向の余剰片２８Ａ、２８Ｂに達するまで折り線２４Ｄ，２４Ｅが形成される。後述するが、当該第２伝票部２７は、第２伝票部２７の上記スリット３４Ｅ及び折り線２４Ｄ、２４Ｅで折り曲げた状態が、上記第１伝票部２１の第１情報記載部（往路用配達票２５及び往路用送付票２６）の領域内に収まるサイズで形成される。
【００２０】
一方、上紙１２の裏面１２Ｂでは、図１（Ｃ）に示すように、第１伝票部２１の裏面側における往路用配達票２５及び往路用送付票２６の領域以外の領域（周縁部２７Ａ）に対応して第１粘着層４１Ａが形成される。ここでは、上記連設部２４に対応する裏面側の領域には部分的に第１粘着層４１Ａ−１を形成している。なお、第１粘着層４１は、例えばホットメルトが塗布されて形成されたもので、以下、粘着層と称する部分では同様の粘着剤が使用される。
【００２１】
また、第２伝票部２７の裏面側における復路用配達票２９及び復路用送付票３０に対応する領域の周縁、すなわち周縁部２７Ａに対応する領域に第２粘着層４１Ｂが形成される。そして、各余剰片２８Ａ，２８Ｂの裏面側にそれぞれ第２粘着層４１Ｄが形成される。なお、第２伝票部２７における周縁部２７Ａの裏面側に第２粘着層４１Ｂを形成して復路用配達票２９及び復路用送付票３０の裏面側には粘着層を形成していないが、復路用送付票３０の裏面側に粘着層を形成してもよく、また、復路用配達票２９及び復路用送付票３０の裏面側に疑似接着層を形成してもよいものである。
【００２２】
上記下紙１３は、図１（Ｂ）に示すように、上紙１２との重ね合わせ面上であって、上記第１粘着層４１Ａに対応する領域に第１剥離層５４Ａが形成され、上記第２粘着層４１Ｂに対応する領域に第２剥離層５４Ｂが形成される。第１剥離層５４Ａ及び第２剥離層５４Ｂは、例えばシリコン含有の剥離剤が塗布されて形成されたものである。
【００２３】
また、第２伝票部２７に対応した領域、すなわち第２剥離層５４Ｂの外縁の両側と、上記切取り線２４Ａに対応する部分より第１伝票部２１側に超えた上記連設部２４の一部分までに、分離線としてのスリット５２Ａ〜５２Ｃが形成される。このスリット５２Ａ〜５２Ｃを形成することで、後に上紙１２が下紙１３より剥離される際に第２伝票部２７とは剥離されずに一体となって分離する分離剥離片５３が形成されるものであり、下紙１３は分割剥離紙５１となる。この場合、スリット５２Ｂ，５２Ｃは、連設伝票部２２に形成された分離線３３Ａ，３３Ｂとは平面上で同位置ではなく、形成位置を異ならせた形態、すなわち周縁部２７Ａより両サイド側に延長させた位置（図１（Ａ）のα）に形成されるものである。
【００２４】
さらに、上紙１２の折り兼切取り線２４Ａに対応した位置に折り兼切取り線５２Ｄが形成される。また、上紙１２に形成されたスリット２３Ａ，２３Ｂ及びテーパ部２３Ａ−１，２３Ｂ−１に対して、連設伝票部２２側にずらせた、すなわち余剰片２８Ａ、２８Ｂより短くする方向の位置にスリット５２Ｆ、５２Ｇが形成され、これに続いてスリット５２Ｂ、５２Ｃまでテーパ部５２Ｆ−１，５２Ｇ−１が形成されるものである。
【００２５】
そして、分離剥離片５３内の領域であって、復路配達票２９及び復路送付票３０の領域に対応する領域を含み、その外側の第２剥離層５４Ｂの一部を含ませた形態でスリット５５Ａ〜５５Ｄが形成されると共に、上記スリット３４Ｅに対応してスリット５５Ｂ，５５Ｃまで折り線５２Ｅが形成される。なお、当該分離剥離片５３の裏面に、「切取り線より切り取ってください」（この場合の切取り線は、切取り線２４Ｂ，２４Ｃである）との表示を予め印字しておいてもよい。なお、第２伝票部２７の復路用送付票３０の裏面側に粘着層を形成する場合には、分離剥離片５３上の対応部分に剥離層が形成される。
【００２６】
ところで、上記余剰片２８Ａ、２８Ｂに対応した領域には剥離層は形成されない。すなわち、上紙１２と下紙１３とが重ね合わされた後に、上紙１２を下紙１３より剥離する際には、余剰片２８Ａの領域は下紙１３のスリット５２Ｂ，５２Ｆ及びテーパ部５２Ｆ−１で形成される分離剥離片５３Ａに接着した状態となると共に、余剰片２８Ｂの領域は下紙１３のスリット５２Ｃ，５２Ｇ及びテーパ部５２Ｇ−１で形成される分離剥離片５３Ｂに接着した状態となるものである。また、上記連設部２４の裏面側に形成された第１粘着層４１Ａ−１に対応した領域においても剥離層が形成されず、上紙１２を下紙１３より剥離する際に分離剥離片５３の一部を接着した状態とさせるものである。
【００２７】
なお、上記各スリット２３Ａ，２３Ａ−１，２３Ｂ，２３Ｂ−１，３２Ａ〜３２Ｅ，３３Ａ，３３Ｂ，３４Ａ〜３４Ｅ，５２Ａ〜５２Ｃ、切取り線２４Ａ〜２４Ｃ、折り兼切取り線５２Ｄ及び折り線５２Ｅは、上紙１２と下紙１３とを重ね合わせた後に、カッタなどにより形成される。
【００２８】
そこで、図２及び図３に、図１の配送ラベルにおけるラベル本体の剥離紙からの剥離形態の説明図を示す。前提として、配送ラベル１１において、往路用配達票２５及び往路用送付票２６、並びに、復路用配達票２９及び復路用送付票３０に対応の配送情報が一括で印字される。
【００２９】
当該配送ラベル１１を所定の配送物に貼付させる場合、図２（Ａ）において、まず、余剰片２８Ａ及び分離剥離片５３Ａの両方を摘み上げて、上紙１２のスリット３３Ａと下紙１３のスリット５２Ｂとから分離させていき、図２（Ｂ）に示すように、完全に分離させる。また、図２（Ａ）における余剰片２８Ｂ及び分離剥離片５３Ｂの両方を摘み上げて、上紙１２のスリット３３Ｂと下紙１３のスリット５２Ｃとから分離させていき、図２（Ｂ）に示すように、完全に分離させる。
【００３０】
この場合、上紙１２のテーパ部２３Ａ−１，２３Ｂ−１及び下紙１３のテーパ部５２Ｆ−１，５２Ｇ−１が、引き裂き時の応力を横に展開させることから、当該部分の破損を防止することができるものである。そして、分離後において、第１伝票部２１及び第２伝票部２７の一部に分割剥離紙５１が残存した状態となり、また、第２伝票部２７の部分では、両側で延出した分離剥離片５３が接着した状態となる。
【００３１】
そこで、図３（Ａ）に示すように、第１伝票部２１及び第２伝票部２７の一部より、スリット５２Ａ、スリット５２Ｂ、５２Ｃの一部で、分割剥離紙５１を剥離させることで、図３（Ｂ）に示すように、裏面に第１粘着層４１Ａが表出したラベル本体１４となる。すなわち、ラベル本体１４は、往路用配達票２５及び往路用送付票２６の第１情報記載部を備えた第１伝票部２１と、当該第１伝票部２１、連設部２４及び折り兼切取り線２４Ａを介して連設され、復路用配達票２９及び復路用送付票３０の第２情報記載部備えた第２伝票部２７及び分離剥離片５３とで構成されることとなる。
【００３２】
続いて、図４及び図５に、図３のラベル本体の貼付形態の説明図を示す。図４において、図３に示すラベル本体１４は、第１伝票部２１に対して分離剥離片５３が一体となった第２伝票部２７を、まずスリット３４Ｅに対応する折り線２４Ｄ，２４Ｅ（分離剥離片５３の折り線５２Ｅ）で表面１２Ａを重ね面として折り重ね（Ｉ）、折り兼折り線２４Ａ（分離剥離片５３の折り線５２Ｄ）で、図上の下方に折り込むようにして折り曲げ（ＩＩ）、当該第１伝票部２１の裏面側に折り込むように折り曲げていく（ＩＩＩ）。なお、ＩとＩＩとは逆であってもよい。
【００３３】
そして、ラベル本体１４は、図５（Ａ）に示すような分離剥離片５３が接着された第２伝票部２７が第１伝票部２１の裏面側に折り曲げられた状態では、図５（Ｂ）に示すように、第１伝票部２１の裏面側において復路用配達票２９及び復路用送付票３０が第１伝票部２１の往路用配達票２５及び往路用送付票２６の領域内に位置される。そして、往路用配達票２５及び往路用送付票２６の周縁部２１Ｂに対応する裏面で第１粘着層４１が表出しているものである。
【００３４】
次に、図６〜図８に、図５のラベル本体の使用形態の説明図を示す。図６に示すように、図５（Ａ）、（Ｂ）に示すラベル本体１４は、配送物６１に貼着される。この状態は、往路用の第１伝票部２１に分離剥離片５３が接着された第２伝票部２７が包含された、ラベルインラベルの形態として貼着されるものである。
【００３５】
上記ラベル本体１４が貼着された配送物６１が、配送情報に従って目的地まで配送されると、図７（Ａ）に示すように、往路用配達票２５が切欠き部２５Ａより摘み上がられて周縁部２１Ｂ及び連設部２４より分離されると共に、往路用送付票２６が切欠き部２６Ａより摘み上げられて周縁部２１Ｂ及び連設部２４より分離される。
【００３６】
上記往路用配達票２５及び往路用送付票２６が分離されると、図７（Ｂ）に示すように、包含されていた第２伝票部２７と重ね合わされている分離剥離片５３が折り曲げられた状態で表出する。そこで、図７（Ｃ）に示すように、適宜印字されている「切取り線より切り取ってください」の指示表示に従って、第１伝票部２１に形成されている切取り線２４Ｂ，２４Ｃより引き裂くように分離剥離片５３と共に第２伝票部２７を切り取っていく。
【００３７】
一方、復路用の配送物６１Ａに対して、図８（Ａ）に示すように、上記切り取った第２伝票部２７から連設部２４を折り兼切取り線２４Ａ（下紙１３の折り兼切取り線５２Ｄ）より切り取って分離する。また、分離剥離片５３をスリット５５Ａ〜５５Ｄの内部領域を残存させて剥離する。当該分離剥離片５３の外側部分が剥離されることで、図８（Ｂ）に示すように第２粘着層４１Ｂが表出する。そして、図８（Ｃ）に示すように、復路用の配送物６１Ａに貼着させるものである。なお、復路用の配送物６１Ａが目的地に到着して、少なくとも復路用配達票２９を剥がした後には、分離剥離片５３の一部がそのまま残ることとなることから、表出した当該部分に所定の情報を形成しておいてもよい。一方で、分離剥離片５３内にスリット５５Ａ〜５５Ｄを形成せずに第２伝票部２７より当該分離剥離片５３の全部を剥離させる構成としてもよいものである。
【００３８】
ところで、上記実施形態では、第２伝票部２７を折り重ねて第１伝票部２１の裏面に折り曲げる形態として説明したが、当該第２伝票部２７を折り曲げないサイズであって、第１情報記載部（往路用配達票２５及び往路用送付票２６）の領域内に収まるサイズとしても同様である。
【００３９】
次に、図９に、本発明に係る配送ラベルの第２実施形態の構成図を示す。図９（Ａ）〜（Ｃ）に示す配送ラベル１１は、図１（Ａ）〜（Ｃ）に示す構成のうち、上紙１２の一角部に切欠き部２１Ａを設けると共に、第２伝票部２９の両側に延長部２７Ｂ，２７Ｃを設け、当該延長部２７Ｂ，２７Ｃ間に周縁部２７Ａ及び第２情報記載部（復路用配達票２９及び復路用送付票３０）を位置させ、下紙１３に形成させたスリット５２Ｂ、５２Ｃに対応する形成位置を、周縁部２７Ａと延長部２７Ｂ，２７Ｃとの境界線まで形成位置を異ならせた形態（図９（Ａ）のβ）とするスリット７１Ａ〜７１Ｃで形成し、当該スリット７１Ｂ，７１Ｃまで達するスリット７１Ｆ，７１Ｇ、テーパ部７１Ｆ−１，７１Ｇ−１を形成したものである。
【００４０】
また、上記延長部２７Ｂ，２７Ｃの裏面には粘着層は形成されず、下紙１３においても対応位置に剥離層は形成されない。すなわち、後に上紙１２を下紙１３より剥離する際に、分離剥離片５３が第２伝票部２７よりその両側で延出することとなり、粘着層があってはならないからである。他の構成は、図１同様であり、説明を省略する。
【００４１】
そこで、図１０に、図９の配送ラベルにおけるラベル本体の剥離紙からの剥離形態の説明図を示す。まず、当該配送ラベル１１を所定の配送物に貼付させる場合、図１０（Ａ）において、上紙１２（第１伝票部２１）の切欠き部２１Ａを摘み上げて下紙１３より剥離させていくと、上紙１２の余剰片２８Ａ，２８Ｂは第２粘着層４１Ｄにより下紙１３に接着した状態となっていることから、図１０（Ｂ）に示すように、スリット２３Ａ，２３Ｂ、テーパ部２３Ａ−１，２３Ｂ−１、及び、スリット３３Ａ，３３Ｂにより、当該余剰片２８Ａ，２８Ｂが下紙１３に残存され、さらに下紙１３に形成されたスリット７１Ａ〜７１Ｃにより分離剥離片５３が第２伝票部２７とは剥離されずに一体となって剥離、分離されていく。
【００４２】
上記スリット３３Ａ，３３Ｂとスリット７１Ｂ，７１Ｃとは平面上で位置が異なっており、第２伝票部２７の延長部２７Ｂ，２７Ｃに対応する領域には分離剥離片５３は存在しない。なお、テーパ部２３Ａ−１，２３Ｂ−１を形成することで、剥離の際に当該部分の応力を軽減させて破損を防止することができる。
【００４３】
そして、図１０（Ｃ）に示すように、下紙１３より完全に剥離された状態で、裏面に第１粘着層４１Ａが表出したラベル本体１４となる。すなわち、ラベル本体１４は、往路用配達票２５及び往路用送付票２６の第１情報記載部を備えた第１伝票部２１と、当該第１伝票部２１、連設部２４及び折り兼２４Ａを介して連設され、復路用配達票２９及び復路用送付票３０の第２情報記載部備えた第２伝票部２７及び分離剥離片５３とで構成されることとなる。一方、下紙１３では、上紙１２の余剰片２８Ａ、２８Ｂが分離剥離片５３Ａ，５３Ｂと貼着状態となって残存し、スリット５２Ａ〜５２Ｃで分離剥離片５３が分離された状態となるものであり、その後の使用形態は、図４〜図８と同様である。
【００４４】
このように、下紙１３において、第２伝票部２７と一体に分離剥離片５３を剥離させるスリット５２Ａ〜５２Ｃ（７１Ａ〜７１Ｃ）のうち、スリット５２Ｂ、５２Ｃ（７１Ｂ，７１Ｃ）の形成位置を、第２伝票部２７と余剰片２８Ａ、２８Ｂとを分離させるスリット３３Ａ，３３Ｂの形成位置より平面方向で異ならせて形成させていることにより、少なくとも二種のラベルを備えて後に分離するラベルを剥離紙共々損傷なく確実に分離させることができるものである。
【００４５】
また、第２伝票部２７を、所定回数で折り重ね自在とされ、折り重ねられたサイズが、第１伝票部２１の第１情報記載部（往路用配達票２５及び往路用送付票２６）の領域内に収まるサイズとすることにより、第２伝票部２７のラベル面（第２情報記載部（復路用配達票２９及び復路用送付票３０）やその他の情報面）を拡大することができ、情報量を増大させることができるものである。
【産業上の利用可能性】
【００４６】
本発明の配送ラベルは、所定の情報が表示されて配送物に貼付される伝票等のラベル及び当該ラベルを作製する産業に利用可能である。
【符号の説明】
【００４７】
１１            配送ラベル
１２            上紙
１３            下紙
１４            ラベル本体
２１            第１伝票部（往路ラベル）
２１Ａ          切欠き部
２１Ｂ          三辺周縁部
２２            連設伝票部
２３Ａ，２３Ｂ  スリット
２３Ｂ−１
２４            連設部
２４Ａ，２４Ｂ  切取り線
２４Ｃ          折り兼切取り線
２５            往路用配達票（第１情報記載部）
２６            往路用送付票（第１情報記載部）
２５Ａ，２６Ａ  切欠き部
２７            第２伝票部（復路ラベル）
２７Ａ          周縁部
２７Ｂ，２７Ｃ  延長部
２８Ａ，２８Ｂ  余剰片
２９            復路用配達票（第２情報記載部）
３０            復路用送付票（第２情報記載部）
２９Ａ，３０Ａ  切欠き部
３２〜３４      スリット
４１Ａ          第１粘着層
４１Ｂ          第２粘着層
５１            分割剥離紙
５２            スリット
５３            分離剥離片
５４Ａ          第１剥離層
５４Ｂ          第２剥離層
６１            配送物
【図１】
0006448276.tif 000002
【図２】
0006448276.tif 000003
【図３】
0006448276.tif 000004
【図４】
0006448276.tif 000005
【図５】
0006448276.tif 000006
【図６】
0006448276.tif 000007
【図７】
0006448276.tif 000008
【図８】
0006448276.tif 000009
【図９】
0006448276.tif 000010
【図１０】
0006448276.tif 000011